(57)【要約】【課題】外気温度センサを用いることなく冷房運転と暖房運転とを適切なタイミングで自動的に切り替えることを可能にする。【解決手段】制御装置３０は、空調システム１０の熱源機１１に指示する指示部３１１を備える。指示部３１１には、冷房又は暖房の対象である建物２０が存在する地域の外気温データから求められた代表値に基づいて、冷房運転の期間の開始日又は暖房運転の期間の終了日と、暖房運転の期間の開始日又は冷房運転の期間の終了日とが設定される。代表値は、過去の所定の複数年間である対象期間の外気温データから求められる。冷房期間の開始日又は暖房期間の終了日は、対象期間において代表値が所定の第１温度を上回った月日から選択される１つの日である。暖房運転の期間の開始日又は冷房運転の期間の終了日は、代表値が所定の第２温度を下回った月日から選択される１つの日である。【選択図】図２
2018112352.tif 000002
【特許請求の範囲】
【請求項１】
空調システムの熱源機に冷房運転の期間の開始又は終了のタイミングと暖房運転の期間の開始又は終了のタイミングとをそれぞれ指示する指示部を備え、
前記指示部には、
冷房又は暖房の対象である建物が存在する地域の外気温データから求められた代表値に基づいて、前記冷房運転の期間の開始日又は前記暖房運転の期間の終了日と、前記暖房運転の期間の開始日又は前記冷房運転の期間の終了日とが設定され、
前記代表値は、過去の所定の複数年間である対象期間の前記外気温データから日毎に求められた温度であって、
前記冷房運転の期間の開始日又は前記暖房運転の期間の終了日は、前記対象期間において前記代表値が所定の第１温度を上回った複数の月日から選択された１つの日であり、前記暖房運転の期間の開始日又は前記冷房運転の期間の終了日は、前記対象期間において前記代表値が前記第１温度より低い所定の第２温度を下回った複数の月日から選択された１つの日である
ことを特徴とする空調システム用の制御装置。
【請求項２】
前記指示部は、
前記対象期間において、前記代表値が前記第１温度を上回った月日のうちのもっとも遅い日を前記暖房運転の期間の終了日とし、前記代表値が前記第２温度を下回った月日のうちのもっとも遅い日を前記冷房運転の期間の終了日とする
請求項１記載の空調システム用の制御装置。
【請求項３】
前記代表値は、過去７日間の日平均気温の移動平均値である
請求項１又は２記載の空調システム用の制御装置。
【請求項４】
前記地域は、次世代省エネルギー地域区分による８つの地域から選択される
請求項１〜３のいずれか１項に記載の空調システム用の制御装置。
【請求項５】
電気通信回線を通して取得した前記外気温データから前記代表値を求める計算部と、
前記対象期間における前記代表値を記憶する記憶部と
前記記憶部が記憶している前記代表値を年毎に更新する更新部とを更に備え、
前記指示部は、
前記記憶部が記憶している前記代表値に基づいて、前記冷房運転の期間の開始日又は前記暖房運転の期間の終了日と、前記暖房運転の期間の開始日又は前記冷房運転の期間の終了日とを定める機能を有する
請求項１〜４のいずれか１項に記載の空調システム用の制御装置。
【請求項６】
前記冷房運転の期間の開始と前記冷房運転の期間の終了と前記暖房運転の期間の開始と前記暖房運転の期間の終了との４つの状態のうちの少なくとも１つの状態を入力情報として受け付けるインターフェイス部をさらに備え、
前記指示部は、
前記インターフェイス部が前記入力情報を受け付けた場合に、前記入力情報に従って前記状態を前記熱源機に指示し、加えて、前記インターフェイス部が前記入力情報を受け付けた月日を前記記憶部に格納し、翌年以降の対象期間において、当該月日を、前記代表値が所定の第１温度を上回った月日と、前記代表値が前記第２温度を下回った月日とのいずれかとして用いる
請求項５記載の空調システム用の制御装置。
【請求項７】
前記熱源機が生成した冷気又は暖気を建物の複数の空調領域それぞれに供給する熱量を定める処理部と、
前記熱源機が生成した前記冷気又は前記暖気を前記複数の空調領域に配分する分配装置を制御する制御部とを更に備え、
前記分配装置は、
前記熱源機からの前記冷気又は前記暖気を前記複数の空調領域それぞれに配分するように複数系統に分岐した給気ダクトと、
前記給気ダクトの前記複数系統それぞれから前記複数の空調領域に吹き出す前記冷気又は前記暖気の流量を調節する複数のダンパとを備えており、
前記処理部は、
前記複数の空調領域それぞれについて、所定時間ごとに取得した現在温度と目標温度との相違の程度に基づいて前記ダンパの開度を決めるように構成されている
請求項１〜６のいずれか１項に記載の空調システム用の制御装置。
【請求項８】
空調システムが設置された建物が存在する地域において過去の所定の複数年間である対象期間の外気温データから代表値を日毎に求めるステップと、
前記空調システムの冷房運転の期間の開始日又は暖房運転の期間の終了日を、前記対象期間において前記代表値が所定の第１温度を上回った複数の月日から選択した１つの日に定め、前記空調システムの前記暖房運転の期間の開始日又は前記冷房運転の期間の終了日を、前記対象期間において前記代表値が前記第１温度より低い所定の第２温度を下回った複数の月日から選択した１つの日に定めるステップと、
前記空調システムの熱源機に、前記冷房運転の期間の開始日又は前記暖房運転の期間の終了日と、前記暖房運転の期間の開始日又は前記冷房運転の期間の終了日とを指示するステップとを備える
ことを特徴とする空調システムの制御方法。
【請求項９】
建物に供給する熱エネルギーを生成し、冷房運転と暖房運転とを切り替える熱源機と、
前記熱源機が生成した熱エネルギーを前記建物における複数の空調領域に配分する分配装置と、
前記複数の空調領域それぞれの温度を計測する複数の温度センサと、
前記複数の温度センサが計測した温度を現在温度として取得するように構成された請求項１〜７のいずれか１項に記載の空調システム用の制御装置とを備える
ことを特徴とする空調システム。
【請求項１０】
前記熱源機は、前記熱エネルギーとして冷気又は暖気を生成するように構成され、
前記分配装置は、
前記熱源機からの前記冷気又は前記暖気を前記複数の空調領域それぞれに配分するように複数系統に分岐した給気ダクトと、
前記給気ダクトの前記複数系統それぞれから前記複数の空調領域に吹き出す前記冷気又は前記暖気の流量を調節する複数のダンパとを備える
請求項９記載の空調システム。
【請求項１１】
前記分配装置は、
前記熱源機が供給する冷気又は暖気を複数のダンパに送る搬送ファンを更に備えている
請求項１０記載の空調システム。
【請求項１２】
前記搬送ファンが複数あり、
前記給気ダクトは、
前記複数の搬送ファンそれぞれからの前記冷気又は前記暖気を通す複数の分岐ダクトと、
前記複数の分岐ダクトそれぞれから複数系統に分岐し前記複数のダンパがそれぞれ配置されている複数の末端ダクトとを備えている
請求項１１記載の空調システム。
【発明の詳細な説明】
【技術分野】
【０００１】
本発明は、空調システム用の制御装置、空調システムの制御方法、空調システムに関する。本発明は、詳しくは、冷房運転と暖房運転との切替が可能な空調システム用の制御装置、空調システムの制御方法、制御装置を備える空調システムに関する。
【背景技術】
【０００２】
空調設備（空調システム）を、季節に対応して冷房、暖房、停止に自動的に切り替える技術が開示されている（例えば、特許文献１参照）。特許文献１には、外気温度センサにより検出した外気温度（外気温）を基に所定期間の移動平均温度を求め、移動平均温度と基準となる外気温度の差から季節を判断する技術が開示されている。
【先行技術文献】
【特許文献】
【０００３】
【特許文献１】特開２００４−２８４４０号公報
【発明の概要】
【発明が解決しようとする課題】
【０００４】
特許文献１に記載された技術では、外気温度の変化を外気温度センサで計測しているために、外気温度センサの施工状態によっては季節の判断結果に大きなずれが生じる可能性がある。また、外気温度センサの設置環境が施工時から変化することによって、季節の判断結果にずれが生じる可能性もある。
【０００５】
本発明は、外気温度センサを用いることなく冷房運転と暖房運転とを適切なタイミングで自動的に切り替えることを可能にした空調システム用の制御装置、空調システムの制御方法、空調システムを提供することを目的とする。
【課題を解決するための手段】
【０００６】
本発明に係る一態様の空調システム用の制御装置は、空調システムの熱源機に冷房運転の期間の開始又は終了のタイミングと暖房運転の期間の開始又は終了のタイミングとをそれぞれ指示する指示部を備える。前記指示部には、冷房又は暖房の対象である建物が存在する地域の外気温データから求められた代表値に基づいて、前記冷房運転の期間の開始日又は前記暖房運転の期間の終了日と、前記暖房運転の期間の開始日又は前記冷房運転の期間の終了日とが設定される。前記代表値は、過去の所定の複数年間である対象期間の前記外気温データから日毎に求められた温度である。前記冷房運転の期間の開始日又は前記暖房運転の期間の終了日は、前記対象期間において前記代表値が所定の第１温度を上回った月日から選択された１つの日である。前記暖房運転の期間の開始日又は前記冷房運転の期間の終了日は、前記対象期間において前記代表値が前記第１温度より低い所定の第２温度を下回った月日から選択された１つの日である。
【０００７】
本発明に係る一態様の空調システムの制御方法は、少なくとも以下の３つのステップを備える。第１のステップは、空調システムが設置された建物が存在する地域において過去の所定の複数年間である対象期間の外気温データから代表値を日毎に求めるステップである。第２のステップは、前記空調システムの冷房運転の期間の開始日又は暖房運転の期間の終了日を、前記対象期間において前記代表値が所定の第１温度を上回った複数の月日から選択した１つの日に定めるステップである。また、このステップでは、前記空調システムの前記暖房運転の期間の開始日又は前記冷房運転の期間の終了日を、前記対象期間において前記代表値が前記第１温度より低い所定の第２温度を下回った複数の月日から選択した１つの日に定める。第３のステップは、前記空調システムの熱源機に、前記冷房運転の期間の開始日又は前記暖房運転の期間の終了日と、前記暖房運転の期間の開始日又は前記冷房運転の期間の終了日とを指示するステップである。
【０００８】
本発明に係る一態様の空調システムは、熱源機と分配装置と複数の温度センサと上述した空調システム用の制御装置とを備える。前記熱源機は、建物に供給する熱エネルギーを生成し、冷房運転と暖房運転とを切り替える。前記分配装置は、前記熱源機が生成した熱エネルギーを前記建物における複数の空調領域に配分する。前記複数の温度センサは、前記複数の空調領域それぞれの温度を計測する。前記制御装置は、前記複数の温度センサが計測した温度を現在温度として取得するように構成されている。
【発明の効果】
【０００９】
本発明の構成では、外気温データに基づいて冷房運転の期間と暖房運転の期間とを切り替える時期を決めるから、外気温度センサを設置することなく冷房運転と暖房運転とを適切なタイミングで自動的に切り替えることが可能である。
【図面の簡単な説明】
【００１０】
【図１】図１は実施形態の全体構成を示す概略構成図である。
【図２】図２は実施形態における制御装置を示すブロック図である。
【図３】図３は実施形態において外気温データの代表値の推移と、冷房運転の期間と暖房運転の期間とを切り替える月日との関係を示すグラフである。
【発明を実施するための形態】
【００１１】
以下に説明する実施形態においては、建物が戸建て住宅である場合を想定し、空調システムが全館空調システムである場合を想定している。この全館空調システムは、熱源機が生成した熱エネルギーを冷気あるいは暖気として建物のほぼ全体に供給する構成である。また、この全館空調システムは、空調と換気とを行うように構成されている。全館空調システムは、年間を通して運転される。そのため、冷気を供給する冷房運転と暖気を供給する暖房運転との切替が必要である。
【００１２】
図１に示す空調システム１０は、建物２０に設置されており、熱源機１１と、エアフィルタ１２と、２台の搬送ファン１３とを備える。また、図１に示す空調システム１０は、１台の搬送ファン１３に対して３個以上のダンパ１４と、３個以上の吹出口１５とを備えている。ダンパ１４及び吹出口１５の個数は、望ましくは５個以上７個以下である。ダンパ１４と吹出口１５とは一対一に対応しているため、ダンパ１４と吹出口１５との個数は同数である。ここでのダンパ１４は、ＶＡＶユニット（VAV：Variable Air Volume）で実現される。搬送ファン１３の台数と、ダンパ１４及び吹出口１５の個数とは、熱源機１１の容量、建物２０の構成及び規模などに応じて適宜に定められる。以下では説明を簡単にするために、ダンパ１４と吹出口１５が、１台の搬送ファン１３に対して５個ずつである場合を例として説明する。
【００１３】
また、空調システム１０は、熱源機１１から冷気又は暖気を吹出口１５に送る給気ダクト１６と、熱源機１１に外気を導入する外気ダクト１７１とを備える。熱源機１１には、建物２０の内部の空気も導入される。図１では、建物２０の内部の空気を熱源機１１に導入する経路を符号１７２で表している。この経路１７２は、空気の流れを模式的に表しており、建物２０の内部におけるドアの隙間、換気口のように空気が流通する箇所を含む。また、経路１７２は、還流用のダクトを備えていてもよい。
【００１４】
熱源機１１が送り出す空気には、熱源機１１の運転状態に応じて、熱源機１１が冷却した冷気と、熱源機１１が加熱した暖気とがある。さらに、図１に示す空調システム１０は制御装置３０及び複数個の温度センサ１８を備えている。ここでは、熱源機１１とエアフィルタ１２と２台の搬送ファン１３とは、建物２０に設置される単一の筐体１０１に収納されており、ユニット化されている。したがって、熱源機１１からエアフィルタ１２を通り２台の搬送ファン１３に至る経路（図１に破線で示している）は、筐体１０１の内部に形成されている。
【００１５】
この空調システム１０は、熱源機１１が生成した熱エネルギーを１０個の吹出口１５に配分するために、２台の搬送ファン１３、及び１０個のダンパ１４を備えている。搬送ファン１３が送り出した空気は、給気ダクト１６を通して吹出口１５に送られる。すなわち、２台の搬送ファン１３と１０個のダンパ１４と給気ダクト１６とは、熱源機１１が生成した熱エネルギーを１０個の吹出口１５に配分する分配装置１０２を構成している。熱源機１１が生成した熱エネルギーを１０個の吹出口１５に配分する割合は、２台の搬送ファン１３それぞれの風量と、１０個のダンパ１４それぞれの開度とにより決まる。すなわち、制御装置３０が分配装置１０２を制御することにより、熱源機１１が生成した熱エネルギーを１０個の吹出口１５に配分する割合が決まる。そして、複数の空調領域２１それぞれに単位時間に供給される熱量は、吹出口１５から空調領域２１に供給される空気の温度及び流量により決まる。
【００１６】
ここでの空調領域２１は、吹出口１５に一対一に対応するように仮想的に定めた空間である。空調の対象である空調空間としての単一の部屋２３に複数の吹出口１５から冷気又は暖気を供給する場合、単一の部屋２３に複数個の空調領域２１が存在する。空調空間は、部屋２３に限らず廊下あるいは階段などでもよい。図１に示す空調システム１０では、１つの部屋２３に２つの空調領域２１が存在する場合を例示している。部屋２３に示す破線は、空調領域２１を実空間で仕切っているわけではなく、２つの空調領域２１が存在することを示すために仮に設定した線である。
【００１７】
制御装置３０は、複数個の温度センサ１８それぞれが計測した温度を所定時間ごとに現在温度として取得し、現在温度に基づいて熱源機１１と分配装置１０２とを制御し、１０個の吹出口１５への単位時間当たりの熱量の配分量を調節する。複数個の温度センサ１８それぞれは、輻射熱の影響を受けずに気温を計測するように、通気口を有したケースに収納されていることが望ましい。
【００１８】
建物２０は内部に複数の空調領域２１を備える。空調領域２１は、空調の対象となる空間である。複数の空調領域２１それぞれは、一般的には、建物２０の部屋２３に一対一に対応している。ただし、単一の部屋２３に複数の空調領域２１が存在する場合があり、また単一の空調領域２１が複数の部屋２３に跨がる場合がある。空調領域２１は、部屋２３に限らず、廊下あるいは階段であってもよい。複数の空調領域２１には、それぞれ吹出口１５が配置される。すなわち、複数の空調領域２１それぞれには、吹出口１５から空気が供給される。
【００１９】
温度センサ１８と空調空間である部屋２３（廊下あるいは階段でもよい）は、原則として一対一に対応し、温度センサ１８は、部屋２３の温度を計測する。したがって、単一の部屋２３に複数の空調領域２１が存在する場合、部屋２３に１個の温度センサ１８が配置される。図１に示す空調システム１０では、２つの空調領域２１がある単一の部屋２３に、１個の温度センサ１８が配置された例が示されている。したがって、図１に示す空調システム１０は、１０個の吹出口１５に対して９個の温度センサ１８を備える。単一の部屋２３に複数の空調領域２１が存在する場合、部屋２３に配置された１個の温度センサ１８が計測した温度は、複数の空調領域２１で共用される。すなわち、空調領域２１はダンパ１４に一対一対応しているが、部屋２３がダンパ１４に一対多対応する場合、複数のダンパ１４の開度は１個の温度センサ１８が計測した温度により決まる。ただし、単一の部屋２３に複数の空調領域２１が存在する場合に、２個以上の温度センサ１８が配置されていてもよい。
【００２０】
温度センサ１８が配置される場所は、吹出口１５が吹き出した空気が温度センサ１８に直接当たることがないように定められる。温度センサ１８の位置は、空調領域２１を囲む壁面であって、例えば床から１１０［ｃｍ］以上１２０［ｃｍ］以下の高さとなるように定められる。このような温度センサ１８の位置は、適宜に変更することが可能である。温度センサ１８の位置は一例に過ぎず、適宜に変更することが可能である。
【００２１】
熱源機１１は、１台の室内機１１１と１台の室外機１１２とを備えたヒートポンプ式のエアコンであって、室内機１１１からの空気は給気ダクト１６を通して空調領域２１に供給される。また、室内機１１１が取り込む空気は、建物２０の床下２２から外気ダクト１７１を通して取り込まれる屋外の空気と、建物２０の内部から経路１７２を通して回収される屋内の空気とである。外気ダクト１７１は、床下２２の空気を取り込む換気ファン１９に接続されている。
【００２２】
熱源機１１は、夏季には室内機１１１から冷気を送り出す冷房運転を行い、冬季には室内機１１１から暖気を送り出す暖房運転を行う。熱源機１１の冷房運転と暖房運転との切替は、春季あるいは秋季のような中間期に行う。冷房運転と暖房運転との違いは、熱源機１１の設定温度を、上限値として用いるか、下限値として用いるかの相違である。熱源機１１は、冷房運転の際は、室内機１１１から送り出す冷気の温度が上限値である熱源機１１の設定温度を上回らないように動作し、暖房運転の際は、室内機１１１から送り出す暖気の温度が下限値である熱源機１１の設定温度を下回らないように動作する。以下の説明において、暖房運転の際の熱量は暖気の熱量を意味し、冷房運転の際の熱量は冷気の熱量を意味する。
【００２３】
室内機１１１からの空気は、エアフィルタ１２を通して搬送ファン１３に送られる。エアフィルタ１２は、ＨＥＰＡフィルタ（HEPA：High Efficiency Particulate Air）であることが望ましい。エアフィルタ１２がＨＥＰＡフィルタであれば、微小粒子状物質の除去が可能である。ここに、サイズが比較的大きい塵埃及び昆虫などは、換気ファン１９と外気ダクト１７１と室内機１１１とを含む経路内の１箇所以上に配置されたフィルタによって、空気をエアフィルタ１２に導入する前に除去される。そのため、エアフィルタ１２の目詰まりが抑制される。
【００２４】
この空調システム１０では、給気ダクト１６は、２台の搬送ファン１３が送り出した空気がそれぞれ導入される２系統の分岐ダクト１６１を備える。すなわち、室内機１１１から送り出されエアフィルタ１２を通過した後に２台の搬送ファン１３に送られた空気が、搬送ファン１３ごとに異なる分岐ダクト１６１に導入される。２台の搬送ファン１３はそれぞれ室内機１１１からの空気を加速する。この空調システム１０では、２系統の分岐ダクト１６１それぞれが、更に５系統以上の末端ダクト１６２に分岐している。つまり、室内機１１１からの空気は１０系統の末端ダクト１６２に導入される。
【００２５】
１０系統の末端ダクト１６２のそれぞれにはダンパ１４が配置される。ダンパ１４は、開度が調節可能であり、開度の変化により末端ダクト１６２を通る空気の流量を変化させる。末端ダクト１６２の末端には吹出口１５が接続されている。したがって、室内機１１１からの空気は、搬送ファン１３を通してダンパ１４に送られ、ダンパ１４で流量が調節された後、吹出口１５を通して空調領域２１に吹き出す。
【００２６】
上述した空調システム１０は、建物２０の換気を常時行う。そのため、原則として、搬送ファン１３は常に運転を行う。また、空調システム１０は、冷房運転あるいは暖房運転を必要としない場合、熱源機１１を停止させる。すなわち、外気ダクト１７１から室内機１１１に導入される外気は、熱源機１１が冷却あるいは加熱を行わない場合でも、換気のために搬送ファン１３により空調領域２１に送り込まれる。ただし、メンテナンスなどの必要に応じて搬送ファン１３を停止させることは可能である。また、換気扇などによる換気を行う場合、搬送ファン１３を停止させる場合もある。
【００２７】
以下では、制御装置３０について詳述する。制御装置３０は、図２に示すように、処理部３１と制御部３２とを備える。処理部３１は、複数の空調領域２１のそれぞれに供給する熱量の配分量を定める。制御部３２は、熱源機１１と搬送ファン１３とダンパ１４との制御を行う。また、制御装置３０は、操作表示装置４０との間で情報の入力及び出力を行うためのインターフェイス部３３を備える。
【００２８】
操作表示装置４０は、表示装置とタッチパッドとを含むタッチパネルを備え、ユーザインターフェイス（GUI：Graphic User Interface）として機能する。すなわち、制御装置３０は、操作表示装置４０が備える表示装置に情報を出力し、操作表示装置４０が備えるタッチパッドから入力される情報を受け付ける。操作表示装置４０には、必要に応じて様々な画面が表示される。操作表示装置４０は、専用でなくても、スマートフォン、タブレットコンピュータ、パーソナルコンピュータなどであってもよい。また、操作表示装置４０ではなく、表示装置と操作装置とを個別に備えていてもよい。
【００２９】
操作表示装置４０に表示される１つの画面は、ユーザの操作による入力情報として、複数の部屋２３それぞれのユーザ希望温度を受け付ける。制御装置３０は、操作表示装置４０が受け付けたユーザ希望温度を記憶部３４に格納する。記憶部３４には、複数の部屋２３それぞれについてユーザ希望温度が格納される。
【００３０】
図２に示す制御装置３０の処理部３１は、複数の温度センサ１８それぞれと通信する取得部３１０を備える。この空調システム１０では、取得部３１０は、温度センサ１８との間で有線通信を行い、複数の温度センサ１８に対して定期的に現在温度を問い合わせるように構成されている。すなわち、取得部３１０は、複数の温度センサ１８に対してポーリングを行うことにより、個々の温度センサ１８から現在温度を取得する。取得部３１０が複数の温度センサ１８それぞれに現在温度を問い合わせる周期は、１分以上１５分以下の範囲、望ましくは５分以上１０分以下の範囲に定められている。この周期は、温度センサ１８の計測精度、部屋２３の温度が変化する速さなどにより決まる。
【００３１】
取得部３１０が温度センサ１８から取得した現在温度は、取得部３１０が温度センサ１８に問い合わせたときに温度センサ１８が計測した温度である。ただし、温度センサ１８が取得部３１０からの問い合わせを受けた時点付近に定めた所定期間での温度の平均値であってもよい。この所定期間は、温度センサ１８が取得部３１０から問い合わせを受けた時点の前と後とのどちらか、あるいは、その時点を跨ぐ。この所定期間は、例えば１０秒以上３分以下の範囲、望ましくは３０秒以上１分以下の範囲に定められている。
【００３２】
制御装置３０の処理部３１は、取得部３１０に加えて、指示部３１１、計算部３１２、決定部３１３を備える。また、制御装置３０は、月日をカウントするために、リアルタイムクロックのような時計部を備える。ここで、説明のために、取得部３１０が取得する現在温度の時系列に順序を表す正の整数値ｉを対応付け、複数の部屋２３を互いに区別するための識別情報をｊで表す。識別情報ｊは、例えば正の整数値で表される。
【００３３】
指示部３１１は、空調システム１０の冷房運転の期間の開始又は終了のタイミングと、空調システム１０の暖房運転の期間の開始又は終了のタイミングとを求め、求めたタイミングを熱源機１１に指示する。以下では、冷房運転の期間を「冷房期間」と言い換え、暖房運転の期間を「暖房期間」と言い換える。
【００３４】
以下の説明では、指示部３１１が、暖房期間の終了のタイミングと、冷房期間の終了のタイミングとを熱源機１１に指示するように構成された例を示す。ただし、指示部３１１は、熱源機１１に対して、冷房期間の開始のタイミングと暖房期間の開始のタイミングとを指示するように構成されていてもよい。また、指示部３１１は、熱源機１１に対して、冷房期間の開始及び終了のタイミングとを指示する構成であるか、暖房期間の開始及び終了のタイミングを指示する構成であってもよい。
【００３５】
指示部３１１は、熱源機１１に冷房運転と暖房運転とを切り替えるように指示する。冷房期間が終了すれば暖房期間が開始され、暖房期間が終了すれば冷房期間が開始される。冷房期間が終了しても、複数の部屋２３の現在温度のいずれもが暖房運転を実施する温度でなければ、熱源機１１は冷房運転と暖房運転とのどちらも行わない。また、暖房期間が終了しても、複数の部屋２３の現在温度のいずれもが冷房運転を実施する温度でなければ、熱源機１１は、冷房運転と暖房運転とのどちらも行わない。指示部３１１は、冷房期間の終了のタイミング及び暖房期間の終了のタイミングを、熱源機１１が停止している春季あるいは秋季のような中間期に定める。
【００３６】
計算部３１２は、複数の部屋２３それぞれについて、記憶部３４に格納されているユーザ希望温度に基づいて目標温度を定める。制御装置３０の動作によっては、目標温度がユーザ希望温度と異なる場合があるが、ここでは、目標温度がユーザ希望温度と同じである場合について説明する。計算部３１２は、取得部３１０が取得した現在温度とを入力として、目標温度と現在温度との温度差を計算する。識別情報がｊである部屋２３について、取得部３１０が取得した現在温度をθｊ１（ｉ）で表し、目標温度をθｊ２で表すと、計算部３１２は、温度差Δθｊ（ｉ）を、Δθｊ（ｉ）＝θｊ１（ｉ）−θｊ２という計算で求め、正負の符号付きで出力する。計算部３１２は、複数の部屋２３それぞれについて温度差Δθｊ（ｉ）を求める。計算部３１２が求めた温度差Δθｊ（ｉ）は、部屋２３の識別情報ｊに対応付けて記憶部３４に一時的に格納される。記憶部３４に格納された温度差Δθｊ（ｉ）は、取得部３１０が現在温度θｊ１（ｉ）を取得するたびに更新される。
【００３７】
決定部３１３は、複数の部屋２３それぞれについて、計算部３１２が求めたｉ番目の温度差Δθｊ（ｉ）を用いて、複数の部屋２３それぞれに熱源機１１から供給する熱量の配分量を定める。複数の部屋２３それぞれに配分される熱量は、複数のダンパ１４それぞれの開度と、２台の搬送ファン１３それぞれの風量と、熱源機１１が単位時間当たりに生成する熱量とにより定まる。すなわち、決定部３１３は、複数の部屋２３それぞれの温度差Δθｊ（ｉ）に基づいて、複数のダンパ１４それぞれの開度を定めた後に、２台の搬送ファン１３それぞれの風量及び熱源機１１が単位時間当たりに生成する熱量を定める。
【００３８】
建物２０の１つの部屋２３に着目すると、決定部３１３は、空調システム１０が冷房期間には、温度差Δθｊ（ｉ）の符号が正であって絶対値が大きいほど、開度が大きくなるようにダンパ１４の開度を定める。一方、空調システム１０が暖房期間には、決定部３１３は、温度差Δθｊ（ｉ）の符号が負であって絶対値が大きいほど、開度が大きくなるようにダンパ１４の開度を定める。ダンパ１４の開度は、複数段階から選択される。決定部３１３は、温度差Δθｊ（ｉ）を複数の区間に区分し、温度差Δθｊ（ｉ）の各区間にダンパ１４の開度を対応付けている。したがって、決定部３１３は、温度差Δθｊ（ｉ）に応じたダンパ１４の開度を定めることができる。
【００３９】
取得部３１０が複数の部屋２３それぞれの現在温度を取得すると、決定部３１３は複数の部屋２３それぞれに対応するダンパ１４の開度を求める。決定部３１３は、複数の部屋２３それぞれに配分する単位時間当たりの熱量を決めるために、ダンパ１４の開度を求めた後には、２台の搬送ファン１３それぞれの風量を求める。２台の搬送ファン１３の風量は、それぞれ複数段階から選ぶことが可能であり、この空調システム１０では、２台の搬送ファン１３の風量がそれぞれ４段階から選ばれる。
【００４０】
この空調システム１０では１台の搬送ファン１３に５個のダンパ１４を対応させているから、決定部３１３は、１台の搬送ファン１３の風量を、搬送ファン１３に対応した５個のダンパ１４の開度に基づいて定める。搬送ファン１３の風量は、ダンパ１４の開度とあらかじめ対応付けてある。決定部３１３は、１台の搬送ファン１３に対応した５個のダンパ１４それぞれの開度を決めた後、搬送ファン１３の風量を定める。また、決定部３１３は、１０個のダンパ１４の開度に基づいて２台の搬送ファン１３の風量を決めた後、熱源機１１の風量を定める。搬送ファン１３の風量と熱源機１１の風量とは、あらかじめ対応付けられている。
【００４１】
熱源機１１の設定温度は、空調システム１０が冷房運転であれば、複数の部屋２３の目標温度のうちの最低温度よりも低い温度に設定され、空調システム１０が暖房運転であれば、複数の部屋２３のうちの目標温度の最高温度よりも高い温度に設定される。例えば、暖房運転であれば熱源機１１の設定温度は、複数の部屋２３の目標温度のうちの最高温度に、適宜の温度を加算した値に定められる。最高温度に加算する温度は、１［℃］以上７［℃］未満の範囲から選択され、一例として４［℃］に定められる。冷房運転であれば、同程度の温度が上述した最低温度から減算される。熱源機１１の設定温度が決まると、熱源機１１が単位時間当たりに供給する熱量は、風量によって調節される。決定部３１３は、熱源機１１の風量を、２台の搬送ファン１３の風量の合計に近くなるように決定する。
【００４２】
次に、冷房期間と暖房期間とを定める方法について説明する。指示部３１１には、外気温データの代表値に基づいて、冷房期間の終了のタイミングと、暖房期間の終了のタイミングとが設定される。外気温データは、建物２０が存在する地域の過去の外気温データである。上述の地域としては、例えば、平成２５年改正版の「次世代省エネルギー地域区分」による８つの地域が用いられる。地域の区分が次世代省エネルギー地域区分であることは必須ではないが、この区分は、建設省が改正した断熱化基準であるから、外気温の変化特性を区分するための基準として客観性を有している。
【００４３】
代表値は、日毎に過去の所定日数分の外気温データから求められる。代表値は、過去７日間の日平均気温の移動平均値であることが望ましい。代表値は、移動平均値ではなく、最大値、最小値、中央値などから選択される値でもよい。移動平均値を求める期間が、７日間であるのは、気温の日々の変動を平滑することで気温変化の傾向が捉えやすく、かつ季節による気温の変化が反映されるからである。ただし、移動平均値を求める期間は、５日間以上２０日間以下の範囲で選択してもよく、望ましくは７日間以上１０日間以下の範囲で選択される。代表値が移動平均値ではない場合も、同程度の期間の代表値が用いられる。
【００４４】
ここで、過去の複数年間を対象期間とし、対象期間における代表値の推移に基づいて、冷房期間の終了のタイミングと、暖房期間の終了のタイミングとが定められる。対象期間は、例えば最近の過去の５年間であって、最近の過去の３年間以上３０年以下の範囲、望ましくは最近の過去の３年以上１０年以下の範囲から選択される。対象期間を複数年間に定めることにより、年毎の外気温データの変動の影響が抑制される。
【００４５】
図３に示すグラフは、岡山での外気温の日平均気温に関する７日間の移動平均値を、２０１１年から２０１５年までの５年間について表している。すなわち、図３は、対象期間の代表値を同じ月日ごとにまとめたグラフである。対象期間は２０１１年から２０１５年までの５年間であり、代表値は日平均気温に関する７日間の移動平均値である。また、岡山は、平成２５年改正版の次世代省エネルギー地域区分における「６地域」の代表地点である。
【００４６】
図３を見れば明らかなように、過去の複数年間における外気温データの代表値は同様の傾向で変化するが、年毎にずれが生じている。そのため、暖房期間Ｔｗの終了時点の外気温に相当する第１温度θｗと、冷房期間Ｔｃの終了時点の外気温に相当する第２温度θｃとを定めておき、対象期間における代表値と、第１温度θｗおよび第２温度θｃとを比較する。第１温度θｗは第２温度θｃよりも低い温度に設定される。
【００４７】
省エネルギーの観点で、暖房時の室温は２０［℃］程度、冷房時の室温は２８［℃］程度が推奨されている。ただし、第１温度θｗ及び第２温度θｃは、外気温に対して設定される温度である。そのため、例えば、第１温度θｗは１５［℃］以上２０［℃］以下の範囲で選択し、第２温度θｃは２０［℃］以上２６［℃］以下の範囲で選択することが望ましい。図３に示す例では、第１温度θｗは１５［℃］であり、第２温度θｃは２３［℃］である。
【００４８】
暖房期間Ｔｗの終了日は、例えば、外気温の日平均温度から求めた代表値が第１温度θｗを上回った月日のうち対象期間においてもっとも遅い月日とする。また、冷房期間Ｔｃの終了日は、例えば、外気温の日平均温度から求めた代表値が第２温度θｃを下回った月日のうち対象期間においてもっとも遅い月日とする。図３の例では、暖房期間Ｔｗの終了日が５月９日であり、冷房期間Ｔｃの終了日が１０月１５日に定められている。制御装置３０は、暖房期間Ｔｗの終了日の翌日を冷房期間Ｔｃの開始日とし、冷房期間Ｔｃの終了日の翌日を暖房期間Ｔｗの開始日に定める。
【００４９】
上述の手順で、暖房期間Ｔｗの開始日及び冷房期間Ｔｃの開始日を、次世代省エネルギー地域区分における８つの地域それぞれについて求めた結果を表１に示す。表１は、８つの地域のうちの４つの地域について、暖房期間Ｔｗの開始日及び冷房期間Ｔｃの開始日を示している。
【００５０】
【表１】
2018112352.tif 000003
【００５１】
表１に示す月日は、過去の所定の複数年間である対象期間における外気温データに基づいて定められるため、冷房期間Ｔｃと暖房期間Ｔｗとの切替を、適切に行うことが可能である。
【００５２】
ここに、暖房期間Ｔｗの終了日と、冷房期間Ｔｃの終了日との少なくとも一方は、ユーザが操作表示装置４０を用いて指示部３１１に与えることが可能である。インターフェイス部３３が、暖房期間Ｔｗの終了日と、冷房期間Ｔｃの終了日との少なくとも一方を入力情報として、操作表示装置４０から受け取ると、指示部３１１は、入力情報に従う状態を熱源機１１に指示する。たとえば、入力情報が暖房期間Ｔｗの終了日であるとすると、指示部３１１は、対象期間の外気温データに基づいて定められた終了日ではなく、入力情報として与えられた終了日に暖房期間Ｔｗを終了させる。
【００５３】
また、指示部３１１は、入力情報として受け取った月日を記憶部３４に格納する。記憶部３４に格納された月日は、外気温データに基づいて定められた月日と同様に扱われる。すなわち、入力情報による月日を受け取った場合、指示部３１１は、入力情報によって受け取った月日を翌年以降も使用する。入力情報による月日は、操作表示装置４０によりキャンセルを行うことも可能である。入力情報による月日を受け取っていない場合、指示部３１１は、対象期間の外気温データに基づいて定められた月日を使い続ける。
【００５４】
指示部３１１は、上述のようにして定められた月日を用い、冷房期間Ｔｃと暖房期間Ｔｗとの切替を熱源機１１に指示する。第１温度θｗと第２温度θｃとが適切に設定されていれば、冷房期間Ｔｃと暖房期間Ｔｗとの切替は、熱源機１１が停止している中間期に行われる。したがって、熱源機１１は、冷房期間Ｔｃには複数の空調領域２１のうちのいずれかにおいて現在温度θ１（ｉ）が目標温度θ２を上回るまでは停止状態に保たれる。また、熱源機１１は、暖房期間Ｔｗには複数の空調領域２１のうちのいずれかにおいて現在温度θ１（ｉ）が目標温度θ２を下回るまでは停止状態に保たれる。
【００５５】
上述した制御装置３０は、プログラムを実行するプロセッサを備えるデバイスを主なハードウェア構成として実現される。プロセッサを備えるデバイスは、半導体メモリを別に設けるＭＰＵ（Micro Processing Unit）のほか、半導体メモリと合わせて単一のパッケージに収納したマイクロコントローラ（Micro-Controller）でもよい。制御装置３０は、メモリとして、少なくともＲＡＭ（Random Access Memory）を備え、他にＲＯＭ（Read-Only Memory）とＥＥＰＲＯＭ（Electrically Erasable Programmable Read-Only Memory）との少なくとも一方を備えることが望ましい。
【００５６】
プログラムは、ＲＯＭに書き込まれた状態で提供されるほか、光学記録ディスクのような記録媒体あるいはフラッシュメモリを備える記録媒体であって、コンピュータ読取可能な記録媒体によって提供されてもよい。また、プログラムは、インターネット、移動体通信網などの電気通信回線を通して提供されてもよい。記録媒体あるいは電気通信回線により提供されるプログラムは、書換可能な不揮発性メモリ（例えば、ＥＥＰＲＯＭ）に格納されることが望ましい。
【００５７】
暖房期間Ｔｗの終了日は、複数年間である対象期間において、代表値が第１温度θｗを上回った月日のうちのもっとも早い月日であってもよく、冷房期間Ｔｃの終了日は、代表値が第２温度θｃを下回った月日のうちのもっとも早い月日であってもよい。また、暖房期間Ｔｗの終了日と冷房期間Ｔｃの終了日との一方はもっとも遅い日とし他方はもっとも早い日を選択することが可能である。冷房期間Ｔｃの終了日と暖房期間Ｔｗの終了日とは、対象期間から求めた複数の月日を平均した月日、あるいは対象期間から求めた複数の月日の中央の月日であってもよい。冷房期間Ｔｃの開始日は、暖房期間Ｔｗの終了日の翌日であることは必須ではなく、また暖房期間Ｔｗの開始日は、冷房期間Ｔｃの終了日の翌日であることも必須ではない。すなわち、冷房期間Ｔｃと暖房期間Ｔｗとの間に、冷房運転でも暖房運転でもない期間があってもよい。
【００５８】
また、上述した空調システム１０では、暖房期間Ｔｗの終了日は、外気温データの代表値が第１温度θｗを上回った月日に基づいて定められ、冷房期間Ｔｃの終了日は、外気温データの代表値が第２温度θｃを下回った月日に基づいて定められている。これに対し、冷房期間Ｔｃの開始日は、外気温データの代表値が第１温度θｗを上回った月日に基づいて定められ、暖房期間Ｔｗの開始日は、外気温データの代表値が第２温度θｃを下回った月日に基づいて定められてもよい。
【００５９】
建物２０は、戸建て住宅に限らず、集合住宅、店舗などの他の建物であってもよい。空調システム１０として、ヒートポンプ式の熱源機１１を備える構成を例示したが、空調システム１０は、温水あるいは冷水を複数のファンコイルユニットに通す構成などであってもよい。また、熱源機１１が生成した冷気又は暖気を複数の空調領域２１に分配する場合を例として説明したが、単一の空調領域２１に１台の熱源機１１が配置されている場合でも、熱源機１１を通年で運転する場合には、上述した技術を採用することが可能である。
【００６０】
上述した空調システム１０では、エアフィルタ１２としてＨＥＰＡフィルタを採用しているが、他の構成のエアフィルタ１２を用いることを妨げない。上述した搬送ファン１３の台数、ダンパ１４及び吹出口１５の個数、温度センサ１８の個数、部屋２３の個数などは一例であり、適宜に変更される。また、搬送ファン１３は空調システム１０の必須構成ではない。すなわち、空調システム１０は、熱源機１１が生成した冷気又は暖気が、加速されることなくダンパ１４を通って吹出口１５から吹き出す構成であってもよい。
【００６１】
上述した空調システム１０において、取得部３１０は、温度センサ１８との間で有線通信を行っているが、無線通信を行ってもよく、建物２０において有線通信と無線通信とが混在していてもよい。取得部３１０と温度センサ１８との間の通信規約にはとくに制限はない。また、上述した空調システム１０では、取得部３１０が複数の温度センサ１８それぞれに現在温度を問い合わせる構成であるが、複数の温度センサ１８が適宜のタイミングで現在温度を取得部３１０に送信する構成であってもよい。
【００６２】
さらに、上述した空調システム１０では、現在温度θ１（ｉ）と目標温度θ２との相違の程度が温度差Δθ（ｉ）で表されており、制御装置３０は、温度差Δθ（ｉ）に基づいてダンパ１４の開度を決めている。これに対して、現在温度θ１（ｉ）と目標温度θ２との相違の程度は、目標温度θ２に対する現在温度θ１（ｉ）の比で表してもよい。
【００６３】
ところで、冷房期間及び暖房期間は制御装置３０が定めてもよい。この場合、制御装置３０は、図２に破線で示すように、通信部３５と更新部３６とを備えることが望ましい。通信部３５は、インターネットのような電気通信回線に接続され、気象情報を提供する事業者などが運営するコンピュータサーバから電気通信回線を通して、地域の外気温データを日毎に取得する。計算部３１２は、目標温度と現在温度との温度差を求める機能のほかに、通信部３５が地域の外気温データを取得したときに、日毎に過去の所定日数分の外気温データの代表値を求める機能を有する。
【００６４】
計算部３１２が日毎に求めた代表値は記憶部３４に格納される。記憶部３４は、日毎の代表値を、過去の複数年間について記憶する。指示部３１１は、記憶部３４に格納されている対象期間における代表値の推移に基づいて、冷房期間の終了のタイミングと、暖房期間の終了のタイミングとを定める。ここに、制御装置３０は、通信部３５を通して地域の外気温データを日毎に取得しているが、通信部３５は対象期間における外気温データを一括して取得する構成であってもよい。
【００６５】
制御装置３０が通信部３５及び更新部３６を備える場合、代表値は、計算部３１２が求め、暖房期間Ｔｗ及び冷房期間Ｔｃは、指示部３１１が決める。すなわち、計算部３１２は、通信部３５が取得した地域の日毎の外気温データに基づいて代表値を計算する。代表値は、上述したように、複数日の外気温データに基づいて求められる。
【００６６】
指示部３１１は、例えば、暖房期間Ｔｗの終了日と冷房期間Ｔｃの終了日とを指示部３１１が決める場合に、外気温の日平均温度から求めた代表値が第１温度θｗを上回った月日のうち対象期間においてもっとも遅い月日を暖房期間Ｔｗの終了日とする。また、指示部３１１は、外気温の日平均温度から求めた代表値が第２温度θｃを下回った月日のうち対象期間においてもっとも遅い月日を冷房期間Ｔｃの終了日とする。冷房期間Ｔｃの開始日は、例えば暖房期間Ｔｗの終了日の翌日に定めることが可能であり、暖房期間Ｔｗの開始日は、例えば冷房期間Ｔｃの終了日の翌日に定めることが可能である。また、暖房期間Ｔｗの終了日と冷房期間Ｔｃの開始日との間、冷房期間Ｔｃの終了日と暖房期間Ｔｗの開始日との間の少なくとも一方は、複数日の期間を含んでいてもよい。
【００６７】
更新部３６は、暖房期間Ｔｗおよび冷房期間Ｔｃを定める月日を、通信部３５が取得した地域の外気温データに基づいて毎年更新する。すなわち、更新部３６は、記憶部３４が記憶している代表値を年毎に更新し、指示部３１１は、更新された代表値を用いて、暖房期間Ｔｗおよび冷房期間Ｔｃを年毎に自動的に定める。
【００６８】
また、暖房期間Ｔｗの終了日と冷房期間Ｔｃの終了日との少なくとも一方を入力情報としてインターフェイス部３３が操作表示装置４０から受け取ると、指示部３１１は、入力情報を熱源機１１に指示するだけでなく、入力情報を記憶部３４に格納する。この場合、記憶部３４に入力情報として格納された月日は、通信部３５が取得した外気温データから自動的に設定された月日と同様に扱われ、翌年以降の対象期間において、暖房期間Ｔｗの終了日あるいは冷房期間Ｔｃの終了日を決める際に採用される。
【００６９】
例えば、対象期間が最近の過去の５年間であって、２年前に暖房期間Ｔｗから冷房期間Ｔｃへの切替が入力情報に基づいて行われた場合を想定する。外気温データが１年に１回以上更新されている場合、指示部３１１は、２年前の切替の月日と、対象期間の他の４年のそれぞれで代表値が第１温度θｗを上回った月日とを比較し、もっとも遅い月日を暖房期間Ｔｗの終了日に定める。外気温データを更新しておらず、入力情報による月日も受け取っていない場合、指示部３１１は、対象期間の外気温データに基づいて過去に定めた月日を使い続ける。
【００７０】
通信部３５を備える制御装置３０は、建物２０が存在する地域の外気温データを通信部３５を通して取得し、計算部３１２が取得した外気温データに基づく代表値を計算し、算出した代表値を記憶部３４に記憶させている。ただし、外気温データは、記憶部３４に記憶させなくとも、計算部３１２が代表値を計算するたびに通信部３５を通して取得することも可能である。また、外気温データは、次世代省エネルギー地区区分による地域ごとに求めているが、建物２０からもっとも近い場所の気象情報を用いてもよい。
【００７１】
上述したように、空調システム用の制御装置３０は、空調システム１０の熱源機１１に冷房運転の期間Ｔｃの開始又は終了のタイミングと暖房運転の期間Ｔｗの開始又は終了のタイミングとをそれぞれ指示する指示部３１１を備える。指示部３１１には、冷房又は暖房の対象である建物２０が存在する地域の外気温データから求められた代表値に基づいて冷房運転の期間Ｔｃの開始日又は暖房運転の期間Ｔｗの終了日と、暖房運転の期間Ｔｗの開始日又は冷房運転の期間Ｔｃの終了日とが設定される。代表値は、過去の所定の複数年間である対象期間の外気温データから日毎に求められた温度である。冷房運転の期間Ｔｃの開始日又は暖房運転の期間Ｔｗの終了日は、対象期間において代表値が所定の第１温度θｗを上回った月日から選択された１つの日であり、暖房運転の期間Ｔｗの開始日又は冷房運転の期間Ｔｃの終了日は、対象期間において代表値が第１温度θｗより低い所定の第２温度θｃを下回った月日から選択された１つの日である。
【００７２】
制御装置３０は、地域の外気温データに基づいて冷房運転の期間Ｔｃと暖房運転の期間Ｔｗとを切り替える時期を決めるから、外気温度センサを用いることなく冷房運転と暖房運転とを適切なタイミングで自動的に切り替えることが可能である。すなわち、地域における外気温データの推移を冷房運転の期間Ｔｃと暖房運転の期間Ｔｗとの切替に用いているから、地域に応じた適切なタイミングで切替が可能である。
【００７３】
指示部３１１は、対象期間において、代表値が第１温度θｗを上回った月日のうちのもっとも遅い日を暖房運転の期間Ｔｗの終了日とし、代表値が第２温度θｃを下回った月日のうちのもっとも遅い日を冷房運転の期間Ｔｃの終了日とすることが望ましい。
【００７４】
すなわち、対象期間における外気温データに基づいて、暖房運転の期間Ｔｗと冷房運転の期間Ｔｃとを切替える月日を一意に決定することが可能である。
【００７５】
代表値は、過去７日間の日平均気温の移動平均値であることが望ましい。すなわち、７日ずつの平均値を用いるから、外気温の変化の傾向を抽出しながらも、季節による外気温の変動が反映されやすく、冷房運転の期間Ｔｃと暖房運転の期間Ｔｗとの切替が適切に行われる。
【００７６】
地域は、次世代省エネルギー地域区分による８つの地域から選択されることが望ましい。すなわち、採用する外気温データの種類を低減させながらも、冷房運転の期間Ｔｃと暖房運転の期間Ｔｗとを、客観性のある指標に基づいて切り替えることができる。
【００７７】
制御装置３０は、計算部３１２と記憶部３４と更新部３６とを備えていてもよい。計算部３１２は、電気通信回線を通して取得した外気温データから代表値を求める。記憶部３４は、対象期間における代表値を記憶する。更新部３６は、記憶部３４が記憶している代表値を年毎に更新する。この場合、指示部３１１は、記憶部３４が記憶している代表値に基づいて、冷房運転の期間Ｔｃの開始日又は暖房運転の期間の終了日Ｔｗと、暖房運転の期間Ｔｗの開始日又は冷房運転の期間Ｔｃの終了日とを定める機能を有することが望ましい。
【００７８】
この構成では、記憶部３４が複数年間の代表値を記憶し、かつ記憶部３４が記憶する代表値が年毎に更新されるから、気候変動の影響があっても冷房運転の期間Ｔｃと暖房運転の期間Ｔｗとの切替を精度よく行うことが可能である。
【００７９】
制御装置３０は、冷房運転の期間Ｔｃの開始と冷房運転の期間Ｔｃの終了と暖房運転の期間Ｔｗの開始と暖房運転の期間Ｔｗの終了との４つの状態のうちの少なくとも１つの状態を入力情報として受け付けるインターフェイス部３３を備えていてもよい。指示部３１１は、インターフェイス部３３が入力情報を受け付けた場合に、入力情報に従って状態を熱源機１１に指示する。加えて、指示部３１１は、インターフェイス部３３が入力情報を受け付けた月日を記憶部３４に格納し、翌年以降の対象期間において、当該月日を、代表値が所定の第１温度θｗを上回った月日と、代表値が第２温度θｃを下回った月日とのいずれかとして用いる。
【００８０】
すなわち、冷房運転の期間Ｔｃの開始又は終了と暖房運転の期間Ｔｗの開始又は終了をユーザが入力情報として制御装置３０に与えることが可能であり、ユーザが制御装置３０に与えた情報が、翌年以降の制御に反映されることになる。したがって、ユーザの都合あるいは嗜好に応じたタイミングで、冷房運転の期間Ｔｃと暖房運転の期間Ｔｗとの切替が可能になる。
【００８１】
制御装置３０は、処理部３１と制御部３２とを備えていることが望ましい。処理部３１は、熱源機１１が生成した冷気又は暖気を建物２０の複数の空調領域２１それぞれに供給する熱量を定める。制御部３２は、熱源機１１が生成した冷気又は暖気を複数の空調領域２１に配分する分配装置１０２を制御する。分配装置１０２は、給気ダクト１６と複数のダンパ１４とを備える。給気ダクト１６は、熱源機１１からの冷気又は暖気を複数の空調領域２１それぞれに配分するように複数系統に分岐している。複数のダンパ１４は、給気ダクト１６の複数系統それぞれから複数の空調領域２１に吹き出す冷気又は暖気の流量を調節する。処理部３１は、複数の空調領域２１それぞれについて、所定時間ごとに取得した現在温度θ１（ｉ）と目標温度θ２との相違の程度に基づいてダンパ１４の開度を決めるように構成されている。
【００８２】
すなわち、熱源機１１が生成した冷気又は暖気を複数の空調領域２１に配分する際に、目標温度θ２に対する現在温度θ１（ｉ）の相違の程度によって空調領域２１に供給される熱量が調節される。その結果、複数の空調領域２１それぞれが要求する熱量に応じた熱エネルギーの配分が可能になる。
【００８３】
空調システムの制御方法は、以下の３つのステップを少なくとも備える。第１のステップは、空調システム１０が設置された建物２０が存在する地域において過去の所定の複数年間である対象期間の外気温データから代表値を日毎に求めるステップである。第２のステップは、空調システム１０の冷房運転の期間Ｔｃの開始日又は暖房運転Ｔｗの期間の終了日が、対象期間において代表値が所定の第１温度θｗを上回った複数の月日から選択した１つの日に定めるステップである。また、このステップでは、空調システム１０の暖房運転の期間Ｔｗの開始日又は冷房運転の期間Ｔｃの終了日が、対象期間において代表値が第１温度θｗより低い所定の第２温度θｃを下回った複数の月日から選択した１つの日に定められる。第３のステップは、空調システム１０の熱源機１１に、冷房運転の期間Ｔｃの開始日又は暖房運転の期間Ｔｗの終了日と、暖房運転の期間Ｔｗの開始日又は冷房運転の期間Ｔｃの終了日とを指示するステップである。
【００８４】
すなわち、地域の外気温データに基づいて冷房運転の期間Ｔｃと暖房運転の期間Ｔｗとを切り替える時期を決めるから、外気温度センサを用いることなく地域に応じた適切なタイミングで冷房運転と暖房運転とを自動的に切り替えることが可能である。
【００８５】
空調システム１０は、熱源機１１と分配装置１０２と温度センサ１８と制御装置３０とを備える。熱源機１１は、建物２０に供給する熱エネルギーを生成し、冷房運転と暖房運転とを切り替える。分配装置１０２は、熱源機１１が生成した熱エネルギーを建物における複数の空調領域２１に配分する。温度センサ１８は、複数の空調領域２１それぞれの温度を計測する。制御装置３０は、複数の温度センサ１８が計測した温度を現在温度θ１（ｉ）として取得するように構成されている。
【００８６】
この空調システム１０は、制御装置３０が空調領域２１の温度を計測する温度センサ１８から現在温度θ１（ｉ）を取得し、現在温度θ１（ｉ）に基づいて空調領域２１に熱エネルギーを配分する。
【００８７】
熱源機１１は、熱エネルギーとして冷気又は暖気を生成するように構成されていることが望ましい。この場合、分配装置１０２は、給気ダクト１６とダンパ１４とを備えることが望ましい。給気ダクト１６は、熱源機１１からの冷気又は暖気を複数の空調領域２１それぞれに配分するように複数系統に分岐している。複数のダンパ１４は、給気ダクト１６の複数系統それぞれから複数の空調領域２１に吹き出す冷気又は暖気の流量を調節する。
【００８８】
すなわち、熱源機１１が生成した冷気又は暖気を複数の空調領域２１に配分する際に、複数の空調領域２１それぞれに対応したダンパ１４の開度を調節することによって、複数の空調領域２１それぞれの温度を個別に調節することが可能である。
【００８９】
分配装置１０２は、熱源機１１が供給する冷気又は暖気を複数のダンパ１４に送る搬送ファン１３を備えていてもよい。
【００９０】
すなわち、搬送ファン１３が熱源機１１からの冷気又は暖気を加速するから、熱源機１１から離れた空調領域２１でも熱量の調節が可能である。また、搬送ファン１３とダンパ１４とによって、空調領域２１に単位時間当たりに供給する熱量が調節されるから、空調領域２１ごとに単位時間当たりに供給する熱量の精度を高めることが可能である。
【００９１】
搬送ファン１３が複数ある場合、給気ダクト１６は、複数の分岐ダクト１６１と複数の末端ダクト１６２とを備えることが望ましい。この場合、複数の分岐ダクト１６１は、搬送ファン１３がそれぞれ配置される。また、複数の末端ダクト１６２は、複数の分岐ダクト１６１それぞれから更に複数系統に分岐しダンパ１４がそれぞれ配置される。
【００９２】
すなわち、１台の搬送ファン１３に複数個のダンパ１４が対応し、かつ搬送ファン１３の風量を、複数のダンパ１４それぞれの開度に基づいて調節するから、空調領域２１の数に対して、搬送ファン１３の台数を低減させることができる。その結果、建物２０に設置する搬送ファン１３の台数の低減が可能になり、設備の導入費用の抑制が可能になる。
【００９３】
以上説明した実施形態は、本発明の様々な実施形態の一部に過ぎない。また、上述した実施形態は、本発明の目的を達成できれば、設計等に応じて種々の変更が可能である。
【符号の説明】
【００９４】
１０  空調システム
１１  熱源機
１３  搬送ファン
１４  ダンパ
１６  給気ダクト
１８  温度センサ
２０  建物
２１  空調領域
３０  制御装置
３１  処理部
３２  制御部
３３  インターフェイス部
３４  記憶部
３６  更新部
１０２  分配装置
１６１  分岐ダクト
１６２末端ダクト
３１１  指示部
３１２  計算部
Ｔｃ  冷房期間（冷房運転の期間）
Ｔｗ  暖房期間（暖房運転の期間）
θ１（ｉ）、θｊ１（ｉ）  現在温度
θ２、θｊ２  目標温度
θｗ  第１温度
θｃ  第２温度
【図１】
2018112352.tif 000004
【図２】
2018112352.tif 000005
【図３】
2018112352.tif 000006